(57)【要約】【課題】  一台で畳表の裁断と綺麗な折曲げが可能な縁無し畳の畳表裁断折曲げ装置を提供する。【解決手段】  テーブル2の上方から畳表8のほぼ全長を押圧するための、縁部に折り癖をつける押圧刃35を有する押え定規プレート34と、押え定規プレート34によって押圧された畳表8の押圧刃35から表出した部分を、所定幅を残して裁断する裁断装置5を設けた移動ベース4と、移動ベース4を前記押え定規プレート34に沿って前進又は後退させる駆動手段42と、押え定規プレート34の押圧刃35の先端から畳表8の厚み程度の間隔を置いて、畳表8のほぼ全長を畳表8の下方から押し上げるアングルプレート６とからなる縁無し畳の畳表裁断折曲げ装置（縁無畳表幅寸法・巾カット・折曲機）とした。【選択図】        図２
2005314953.tif 000002
【特許請求の範囲】
【請求項１】
テーブルの上方から畳表のほぼ全長を押圧して折り癖をつける押圧刃を縁部に有する押え定規プレートと、該押え定規プレートによって押圧された畳表の前記押圧刃から表出した部分に対して所定幅を残して裁断する裁断装置を設けた移動ベースと、該移動ベースを前記押え定規プレートに沿って前進又は後退させる駆動手段と、前記押え定規プレートの押圧刃の先端から畳表の厚み程度の間隔を置いて畳表のほぼ全長を畳表の下方から押し上げる長尺押上部材とからなる縁無し畳の畳表裁断折曲げ装置。
【請求項２】
長尺押上部材は、立上がり部の上端が畳表と接して畳表を押し上げるアングルプレートであり、該アングルプレートが畳表を押し上げてアングルプレートの底部の下面が畳表を押圧している押え定規プレートの押圧刃の先端の高さを超えてからアングルプレートを押え定規プレートの上側に押込む押込み手段を設けて、畳表を押え定規プレートの上側に折り返す請求項１記載の縁無し畳の畳表裁断折曲げ装置。
【請求項３】
押込み手段は、アングルプレートを昇降させる昇降シリンダが固定されている回動自在のベース板を回動シリンダで回動させてなる請求項２記載の縁無し畳の畳表裁断折曲げ装置。
【請求項４】
請求項１〜３いずれかに記載の縁無し畳の畳表裁断折曲げ装置を１ユニットとして、枠体の左右に１ユニットずつ押え定規プレートの押圧刃が外側を向くように左右略対称に設けてなる縁無し畳の畳表裁断折曲げ装置。
【請求項５】
左右のユニットの間隔を調整する調整手段を設けてなり、前記調整手段は押え定規プレートの押圧刃の先端の間隔を畳の巾に合わせて調整する請求項４記載の縁無し畳の畳表裁断折曲げ装置。
【発明の詳細な説明】
【技術分野】
【０００１】
本発明は、主として縁布の無い畳、すなわち、縁無し畳の畳表裁断折曲げ装置に関するものである。
【背景技術】
【０００２】
従来、畳は上前側と下前側へ縁布を縫着した構造が主に製造され、用いられてきた。しかし、住宅が多様化し、洋風の間の床上へ畳を直敷きしたり、和風であっても縁布の与える強い印象を避けるため、あるいは外観上床面積を広く見せるために、現在では縁布を縫着しないで製造する縁無し畳が多用されるようになってきた。
【０００３】
框側は畳表のたて糸部分で裏面側へ折られるため問題ないが、畳の巾方向にある上前側と下前側は畳表の藺草等の緯条が折られるために、乱れた折目となり、縁布を有しない縁無し畳の場合、通常の縁布を設ける例では問題とならないことでも、商品価値の低下を招くことが多い。特に畳表が藺草の場合、上前側と下前側に沿う整った折目(谷折り線)を付けるべく、鋭利な刃物で裏面側へ浅い裁断線を付ける試みもあるが、畳表の破断を招くこととなる場合が多い。そこで、特許文献１に開示された装置は、機台の上方から畳表の上前又は下前のほぼ全長を所定幅で押圧保持する鋭角断面の上下動押え定規プレートと、保持する畳表のほぼ全長を下面側から支持する回動折曲版と、保持枠からなる構成として上記課題を解決しようとしている。
【０００４】
上記特許文献１に開示された装置を用いれば、藺草等の緯条を比較的綺麗に折ることができ、縁布のない状態でありながら、畳縁の仕上がり状態良好で、商品価値の高い縁無し畳を製造することができる。しかし、畳表を折曲げる前段階で、予め、畳表を裁断しておく必要があり、この工程の簡素化が求められていた。畳表の裁断前には、畳表に裁断位置や折曲げ位置をあらかじめマーキングする必要もあった。また、上記特許文献１に開示された装置に、上前側又は下前側に沿って移動しながら裁断する裁断カッターを設けることも考えられるが、上記特許文献１に開示された装置は畳表の折曲げに際して、その構造上、畳表折曲げ部の外側及び上側に保持枠と回動折曲版のためのスペースが必要であり、これらが裁断カッターの移動手段等と干渉する可能性があった（特許文献１、第３図参照）。
【０００５】
【特許文献１】特開2003-293566（第２〜３頁、第１〜３図）
【発明の開示】
【発明が解決しようとする課題】
【０００６】
本発明は上記課題を解決するものであり、一台で畳表の裁断と綺麗な折曲げが可能な縁無し畳の畳表裁断折曲げ装置を提供するものである。
【課題を解決するための手段】
【０００７】
上記課題を検討した結果、テーブルの上方から畳表のほぼ全長を押圧して折り癖をつける押圧刃を縁部に有する押え定規プレートと、該押え定規プレートによって押圧された畳表の前記押圧刃から表出した部分（畳表）に対して所定幅を残して裁断する裁断装置を設けた移動ベースと、該移動ベースを前記押え定規プレートに沿って前進又は後退させる駆動手段と、前記押え定規プレートの押圧刃の先端から畳表の厚み程度の間隔を置いて畳表のほぼ全長を畳表の下方から押し上げる長尺押上部材とからなる縁無し畳の畳表裁断折曲げ装置とした。ここにいう所定幅とは畳表の上前又は下前の端縁から内方へ折返して畳側面を覆うのに充分な幅をいう。
【０００８】
長尺押上部材が、畳表のほぼ全長を畳表の下方から押し上げて畳表を折曲げる構造のため、長尺押し上げ部材等が、移動ベースや駆動手段等と干渉しにくいため設計自由度が高く、一台で畳表の裁断と折曲げが可能な縁無し畳の畳表裁断折曲げ装置となる。
【０００９】
このとき、長尺押上部材は、立上がり部の上端が畳表と接して畳表を押し上げるアングルプレートであり、該アングルプレートが畳表を押し上げてアングルプレートの底部の下面が畳表を押圧している押え定規プレートの押圧刃の先端の高さを超えてからアングルプレートを押え定規プレートの上側に押込む押込み手段を設けて、畳表を押え定規プレートの上側に折り返す請求項１記載の縁無し畳の畳表裁断折曲げ装置とすることができる。
【００１０】
特許文献１に開示された折曲げ装置では、その構造上、畳表を鋭角的に折曲げることが困難であったが、これにより、畳表を鋭角的にさらに美しく折曲げることができ、一台で畳表の裁断と綺麗な折曲げが可能な縁無し畳の畳表裁断折曲げ装置となる。
【００１１】
押込み手段は、アングルプレートを昇降させる昇降シリンダが固定されている回動自在のベース板を回動シリンダで回動させてなる縁無し畳の畳表裁断折曲げ装置とすることが好ましい。
【００１２】
これにより、アングルプレートが畳表を下方から押し上げる機能を確保しつつ、押込み手段による畳表の折り返しを行うことができる。また、押込み手段が、移動ベースや駆動手段等と干渉せず、一台で畳表の裁断と鋭角的な折曲げが可能な縁無し畳の畳表裁断折曲げ装置となる。
【００１３】
上記いずれかに記載の縁無し畳の畳表裁断折曲げ装置を１ユニットとして、枠体の左右に１ユニットずつ押え定規プレートの押圧刃が外側を向くように左右略対称に設けてなる縁無し畳の畳表裁断折曲げ装置とすることも好ましい。
【００１４】
これにより、畳表の上前側及び下前側（左右）を同時に裁断・折曲げできるため、作業時間が大幅に短縮され、畳の生産効率が向上する。
【００１５】
左右のユニットの間隔を調整する調整手段を設けてなり、前記調整手段は押え定規プレートの押圧刃の先端の間隔を畳の巾に合わせて調整する請求項４記載の縁無し畳の畳表裁断折曲げ装置。
【００１６】
左右のユニットの間隔を畳の巾に合わせて調整する調整手段を設けたことで、畳表に裁断位置や折曲位置をマーキングしておく必要がなくなり、畳の種類に応じて畳表の上前側及び下前側（左右）を同時に裁断、折曲げできるため、作業時間がより大幅に短縮され、畳の生産効率がさらに向上する。
【発明の効果】
【００１７】
本発明の縁無し畳の畳表裁断折曲げ装置は、一台で畳表の裁断と綺麗な折曲げをすることが可能なものである。
【発明を実施するための最良の形態】
【００１８】
図１〜図１０は本発明の第１の実施例の縁無し畳の畳表裁断折曲げ装置を示し、図１は縁無し畳の畳表裁断折曲げ装置の平面図、図２は、テーブル２上に畳表８を載置した状態の縁無し畳の畳表裁断折曲げ装置の正面図、図３は、押え定規プレート34を下降させた状態の縁無し畳の畳表裁断折曲げ装置の正面図、図４は図２の縁無し畳の畳表裁断折曲げ装置の右側面図、図５は移動ベース４が移動して、裁断装置5によって畳表8が裁断されている状態の縁無し畳の畳表裁断折曲げ装置の右側面図、図６はアングルプレート6が上昇して畳表8を折り曲げている状態の縁無し畳の畳表裁断折曲げ装置の正面図、図７は、アングルプレート6を押え定規プレート34の上側に押込んでいる状態の縁無し畳の畳表裁断折曲げ装置の正面図である。また、図８は図３のP部の拡大正面図、図９は図６のQ部の拡大正面図、図１０は図７のS部の拡大正面図であり、図１１及び図１２は第１の実施例の縁無し畳の畳表裁断折曲げ装置によって裁断、折曲げられた畳表8の斜視図である。
【００１９】
本例の縁無し畳の畳表裁断折曲げ装置は、図１〜図２に見られるように、テーブル2、押え定規プレート34、移動ベース4、駆動手段42及びアングルプレート（長尺押上部材）6とからなり、移動ベース4には裁断装置5が設けられている。また、アングルプレート6を押え定規プレート34の上側に押込む押込み手段7がテーブル２の下側に設けられている。
【００２０】
テーブル2は枠体１上に設置されており、テーブル2上に畳表8が載置される。押え定規プレート34は、テーブル2の上方から畳表8のほぼ全長を押圧し、折り癖をつける押圧刃35を縁部に有する。押圧刃35の先端部の位置は、テーブル２の縁部の位置と上下方向に一致する様に押え定規プレート34が設置されている（図８参照）。また、押え定規プレート34は上下動ベース3の下部に設置されており、上下動ベース3と枠体1とを連結した第１のシリンダ31と第２のシリンダ32によって畳表8の押え又は解除等のための上下動が可能である。このとき、畳表8は折返す方向が上向き、すなわち裏面を上向きにして、テーブル２上に載せられている。折返す部分は加湿するか蒸気噴霧、水塗布を行うと曲げ易い。
【００２１】
移動ベース4は、図４に示すように、上下動ベース3の一端部上に配した駆動手段42（モータ）と連結した駆動ローラ43及び従動ローラ44に掛け渡したタイミングベルト45に接続し、上下動ベース3の上面に設けたレール41へ摺動自在に嵌着している。この移動ベース4は、駆動ローラ43の正転又は逆転に従って押え定規プレート34に沿って前進又は後進する。タイミングベルト45による動力の伝達は、細かな移動ベース4の前進又は後進を実現し、見栄えのよい縁無畳の仕上げに寄与する。
【００２２】
図１に示す様に、移動ベース４には、畳表８の裁断に伴って、上前81又は下前82の上面側ほぼ全長を往復動して畳表８に折り目をつける、型押しローラ46と型押しコテ47を設けている。型押しローラ46には、ローラ表面へ畳表に押圧した状態で転動させると畳表の折曲げが容易になる凸条を設けている。凸条は折目付け刃としての作用を効果的に発揮させるためにローラの表面片側で押え定規プレート34寄りに設けている。一方、型押しコテ47にはヒーターが内蔵されており、化学畳の畳表８の裁断を行う場合に加熱しながら折曲げ位置を往復動することで化学畳の畳表８の折曲げが容易になる。
【００２３】
裁断装置5は、図２に示すように、押え定規プレート34の押圧刃35より外側に設けられ、移動ベース4に取り付けたロータリカッタ51からなる。本例ではロータリカッタ51と対に周方向に延びる凹溝を設けた受けローラ52を設けている。これにより、畳表8をロータリカッタ51及び受けローラ52で挟みながら、ずれなく裁断できる。移動ベース4にはロータリカッタ51の駆動モータ53を取り付けている。そして、押え定規プレート34によって押圧された畳表8の押圧刃35から表出した畳表8を、所定幅を残して裁断する。所定幅とは畳表8の上前81又は下前82の端縁から内方へ折返して畳側面を覆うのに充分な幅Ｗであり、畳床の厚み、畳表8の幅等に合わせて上前81又は下前82の端縁から内方へとる幅である（図１１、図１２参照）。また、この幅Wを調整するために、裁断装置5を移動ベース４に対して左右に移動可能とする調整手段を設けても良い。
【００２４】
アングルプレート6（長尺押上部材）は、畳表8の上前81側又は下前82側の長さ（全長）とほぼ等しいか、それ以上の長さであり、テーブル2の側方に、押え定規プレート34と平行に、かつ、立上がり部61の上端が畳表8と接して畳表8を押し上げるように設置されている。また、水平方向に押圧刃35の先端から畳表8の厚み程度の間隔を置いて設置されている。アングルプレート6の底部の下面62には、昇降シリンダ64と連結した押上棹63が左右に連結されている（図４参照）。昇降シリンダ64はベース板71に固定されており、昇降シリンダ64の作用により、押上棹63下部側面に設けられたレール65の方向（上下方向）に沿って、押上棹63とアングルプレート6が上昇することで、立上がり部61が畳表8のほぼ全長を畳表8の下方から押し上げて畳表8の上前81又は下前82に沿って折目が付けられることとなる。
【００２５】
押込み手段7は、図２に示す様に、昇降シリンダ64が固定されている回動軸72を中心として回動自在のベース板71を、回動シリンダ73で回動させてなる。アングルプレート6の立上がり部61が畳表8を押し上げて、アングルプレート6の底部の下面62が畳表8を押圧している押え定規プレート34の押圧刃35の先端の高さを超えてから、回動シリンダ73が縮退してアングルプレート6が押え定規プレート34の上側に押込まれる。これによって、畳表8は押え定規プレート34の上側に折り返されることとなる。
【００２６】
以下、本発明の第１の実施例の縁無し畳の畳表裁断折曲げ装置を用いて、畳表8を裁断、折曲げる手順を説明する。まず、畳表8の裏面に所望の畳の巾寸法に合わせて折曲げ位置をマーキングする。その後、第１のシリンダ31及び第２のシリンダ32を伸張させた状態で、図２に示すように、テーブル2に畳表8を、折返す方向が上向き、すなわち裏面を上向きにして搭置する。そして第１のシリンダ31を縮退させて、上下動ベース3に設置された押え定規プレート34を畳表8に接近させる。この状態では、押え定規プレート34は畳表8を押圧していない。この状態で畳表8の折曲げ位置を押え定規プレート34の押圧刃35の先端位置に合わせる。このとき、畳表8と押え定規プレート34との間隔は２０mm以下が好ましい。間隔が２０mmより大きいと、畳表8にマーキングされた折曲げ位置を押え定規プレート34の押圧刃35の先端位置に正確に位置決めすることが困難となるからである。畳表8と押え定規プレート34との間隔はより好ましくは１０mm以下である。
【００２７】
その後、図３に示すように、第２のシリンダ32を縮退させ、押え定規プレート34によって畳表8のほぼ全長を押圧する。この状態で、押圧刃35から表出した畳表8は、ロータリカッタ51と受けローラ52との隙間の高さとほぼ一致することになる。そして、図５に示すように、押圧刃35から表出した畳表8を、ロータリカッタ51及び受けローラ52で挟みながら裁断する。この際、畳表８に藺草を用いている場合は型押しローラ4６が、化学繊維等を用いている場合（化学畳の畳表８）には型押しコテ47が、押え定規プレート34の押圧刃35先端部分の畳表８に折り目を付けることになる。
【００２８】
上記第１の実施例では、第１のシリンダ31と第２のシリンダ32を組み合わせて使用しているがこれに制限されず、どちらか一方のシリンダのみを使用しても良い。しかし、第１のシリンダ31と第２のシリンダ32を組み合わせることにより、作業性が大幅に向上する。畳表８をテーブル２に載置する際には、両方のシリンダを伸張させてテーブル２と押え定規プレート34との間隔を広めにとることで、畳表８の上前81側又は下前82側をテーブル２と押え定規プレート34との間に挿入しやすくなる。畳表８の位置決めを行う場合には上述した様に、第１のシリンダ31のみを縮退させて位置決めしやすくするのである。本第１の実施例では、第１のシリンダ31のストロークは70mm、第２のシリンダ32のストロークは3mmであり、両シリンダを縮退させた時点で押え定規プレート34が畳表8を押圧する様に設定している。
【００２９】
畳表8の裁断後、図６及び図9に示すように、昇降シリンダ64を伸張させて、アングルプレート6の立上がり部61に畳表8のほぼ全長を下方から押し上げさせる。これによって、畳表8がほぼ直角に折曲げられる（図１２参照）。上記第１の実施例では、アングルプレート6の立上がり部61が畳表８を折曲げる構成としているが、これに制限されない。畳表8のほぼ全長を下方から押し上げて畳表8を直角に折曲げるだけであれば、アングルプレート６の代わりに長板状の部材を用いても良い。しかし、後述する様に、畳表８を鋭角的に折曲げるのであれば、アングルプレート6を用い、その立上がり部61が畳表８を折曲げる構成とする必要がある。
【００３０】
この状態でも畳表8は十分折曲げられているが、さらに鋭角的に折曲げて、畳縁の仕上がり状態を良好にするため、図７及び図10に示すように、アングルプレート6の底部の下面62が畳表8を押圧している押え定規プレート34の押圧刃35の先端の高さを超えてから、回動シリンダ73を縮退させて、アングルプレート6を押え定規プレート34の上側に押込む。これによって、畳表8は押え定規プレート34の上側に折り返されることとなる。
【００３１】
畳表8が折曲げられる様子を拡大表示したものが図８〜図１０である。本第１の実施例では、立上がり部61の上端の押え定規プレート34側にR部（図８参照）を設けているがこれに制限されない。しかし、アングルプレート6の立上がり部61がより容易に畳表8を折曲げることができるように、立上がり部61の押え定規プレート34側にR部を設けることが好ましい。
【００３２】
図11に、裁断後、アングルプレート6を押え定規プレート34の上側に押込むことで折曲げられた畳表8を示す。畳表８が鋭角的に美しく折曲げられている。上記第１の実施例の縁無し畳の畳表裁断折曲げ装置を用いることで、一台で畳表8の裁断と綺麗な折曲げが可能となる。これによって、縁布のない畳でありながら、畳縁の仕上がり状態が良好で、商品価値の高い畳製品を容易に提供することができるのである。
【００３３】
しかし、以上の工程では、畳表8の上前81側または下前82側の一方のみが裁断、折曲げされており、他方は裁断、折曲げされていない（図11及び図１２参照）。よって、上記第１の実施例の縁無し畳の畳表裁断折曲げ装置では、上前81側又は下前82側のどちらか一方を裁断、折曲げした後、畳表を180度回転させて、他方の下前82側または上前81側も裁断、折曲げする必要がある。また、あらかじめ折曲げ寸法を計測し畳表8に折曲げ位置等をマーキングしておく必要もある。そこでこれらの課題を一挙に解決する本発明の第２の実施例を以下に示す。
【００３４】
図１３〜図１４は本発明の第２の実施例の縁無し畳の畳表裁断折曲げ装置を示しており、図１３は第２の実施例の縁無し畳の畳表裁断折曲げ装置の正面図、図１４は、図１３において押圧刃35と押圧刃351との先端の間隔を、W1からW２に広げた状態の縁無し畳の畳表裁断折曲げ装置の正面図である。図１５は、図１３の状態の、第２の実施例の縁無し畳の畳表裁断折曲げ装置によって裁断、折曲げられた畳表8の斜視図である。
【００３５】
本発明の第２の実施例では、図１〜図７に示した、枠体1の一端部に設けた縁無し畳の畳表裁断折曲げ装置（第１のユニットA）に、枠体1の他端部（図１３では左側）に第２のユニットBを追加した構成としている。そして、枠体1の左右に１ユニットずつ、押え定規プレート34の押圧刃35及び押え定規プレート341の押圧刃351が外側を向くように各ユニットを左右略対称に設けた構成としたものである。また、枠体1の左右のユニットの間隔を、押圧刃35の先端と押圧刃351の先端の間隔を基準として、畳の巾に合わせて調整する調整手段9を設けたものである。これにより、畳表8の上前81側および下前82側（左右）を所望の寸法で同時に裁断・折曲げることが出来るのである。
【００３６】
図１３に示す様に、第２のユニットBのテーブル201には、左右に移動ローラ21が設けられており、テーブル201が枠体1上部を左右に移動可能としている。テーブル201の下面62には、枠体１上部の内側面に固定された位置決めモータ91によって回転する運動伝達用ねじ92（雄ねじ）に勘合した、位置決めボールねじ93（雌ねじ）が固定されており、枠体1の左右のユニットの間隔を調整する調整手段9を構成している。
【００３７】
枠体1の左右のユニットの間隔を調整する具体的な方法としては、例えば、第２のユニットBの押え定規プレート341の押圧刃351の先端位置を検出する位置センサを、第１のユニットAの押え定規プレート34の押圧刃35の先端を基準として、所望の畳（京間、江戸間等）の巾に合わせて複数箇所設けて、第２のユニットBの押え定規プレート341の押圧刃351の先端が所望の畳の巾になる位置に到達するまで、位置決めモータ91を正転または反転させる制御手段を設けること等で実現することができる。図１４は図１３の状態から、第２のユニットBを第１のユニットAから遠ざけて、より大きな畳の巾W2に対応するようにしたものである。
【００３８】
図１３の状態の、本第２の実施例の縁無し畳の畳表裁断折曲げ装置によって、裁断、折曲げられた畳表8の斜視図を図１５に示す。畳の巾W１に合わせて、畳表8の上前81側および下前82側がともに分断、折曲げられている。この状態から上前81側及び下前82側を開き気味にして、畳床に被せて縫着するのである。
【００３９】
上記第２の実施例の縁無し畳の畳表裁断折曲げ装置では、畳表の上前81側および下前82側（左右）を同時に裁断・折曲げできるため、作業時間が大幅に短縮され、畳の生産効率が向上する。また、左右のユニットA、Bの間隔を畳の巾に合わせて調整する調整手段9を設けたことで、畳表8に折曲げ寸法等をマーキングする必要がなくなり、畳の種類に応じて、素早く畳表8の左右を同時に裁断・折曲げできるため、作業時間がより大幅に短縮され、畳の生産効率がさらに向上する。これによって、縁布のない畳でありながら、畳縁の仕上がり状態が良好で、商品価値の高い製品をより容易に提供することができるのである。
【図面の簡単な説明】
【００４０】
【図１】本発明の縁無し畳の畳表裁断折曲げ装置の第１の実施例を示す平面図である。
【図２】畳表を載置した状態の、同装置の正面図である。
【図３】押え定規プレートを下降させた状態の、同装置の正面図である。
【図４】図２の同装置の右側面図である。
【図５】裁断装置によって畳表が裁断されている状態の、同装置の右側面図である。
【図６】アングルプレートが上昇して畳表を折り曲げている状態の、同装置の正面図である。
【図７】アングルプレートを押え定規プレートの上側に押込んでいる状態の、同装置の正面図である。
【図８】図3のP部の拡大正面図である。
【図９】図６のQ部の拡大正面図である。
【図１０】図７のS部の拡大正面図である。
【図１１】同装置によって裁断、折曲げられた畳表の斜視図である。
【図１２】同装置によって裁断、折曲げられた畳表の別の例を示す斜視図である。
【図１３】本発明の縁無し畳の畳表裁断折曲げ装置の第２の実施例を示す正面図である。
【図１４】図１３において左右の押圧刃の先端の間隔を広げた状態の同装置の正面図である。
【図１５】同装置によって裁断、折曲げられた畳表の斜視図である。
【符号の説明】
【００４１】
１  枠体
２,201  テーブル
21  移動ローラ
３  上下動ベース
31,32  シリンダ
34,341  押え定規プレート
35,351  押圧刃
４  移動ベース
41  レール
42  駆動手段
43  駆動ローラ
44  従動ローラ
45  タイミングベルト
46  型押しローラ
47  型押しコテ
５  裁断装置
51  ロータリカッタ
52  受けローラ
53  駆動モータ
６  アングルプレート（長尺押上部材）
61  立上がり部
62  下面
63  押上棹
64  昇降シリンダ
65  レール
７  押込み手段
71  ベース板
72  回動軸
73  回動シリンダ
８  畳表
81  上前
82  下前
９  調整手段
91  位置決めモータ
92  運動伝達用ねじ
93  位置決めボールねじ
【図１】
2005314953.tif 000003
【図２】
2005314953.tif 000004
【図３】
2005314953.tif 000005
【図４】
2005314953.tif 000006
【図５】
2005314953.tif 000007
【図６】
2005314953.tif 000008
【図７】
2005314953.tif 000009
【図８】
2005314953.tif 000010
【図９】
2005314953.tif 000011
【図１０】
2005314953.tif 000012
【図１１】
2005314953.tif 000013
【図１２】
2005314953.tif 000014
【図１３】
2005314953.tif 000015
【図１４】
2005314953.tif 000016
【図１５】
2005314953.tif 000017